(57)【要約】【課題】発電のための蒸気タービンの駆動のための過熱蒸気を、ＣＯ２の排出なしに、昇温させ蒸気タービンによる発電効率を向上させる発電装置及び発電方法を提供することを課題とする。【解決手段】可燃物を燃焼する燃焼装置１と、燃焼装置１で発生する排ガスの熱により蒸気を生成する蒸発器２と、蒸発器２からの蒸気を過熱する過熱器３と、過熱器３からの過熱蒸気により駆動される蒸気タービン１２と、該蒸気タービン１２に連結されて発電する発電機１３とを有する発電装置において、過熱器３と蒸気タービン１２とが熱交換器１５を介して接続され、該熱交換器１５にはアンモニア燃焼装置１４が接続されていて、該アンモニア燃焼装置１４でアンモニアを燃焼して生ずるアンモニア燃焼排ガスが上記熱交換器１５に導かれて、上記過熱蒸気を該アンモニア燃焼排ガスとの熱交換により昇温する。【選択図】図１
2018173060.tif 000002
【特許請求の範囲】
【請求項１】
可燃物を燃焼する燃焼装置と、燃焼装置で発生する排ガスの熱により蒸気を生成する蒸発器と、蒸発器からの蒸気を過熱する過熱器と、過熱器からの過熱蒸気により駆動される蒸気タービンと、該蒸気タービンに連結されて発電する発電機とを有する発電装置において、
過熱器と蒸気タービンとが熱交換器を介して接続され、該熱交換器にはアンモニア燃焼装置が接続されていて、該アンモニア燃焼装置でアンモニアを燃焼して生ずるアンモニア燃焼排ガスが上記熱交換器に導かれて、上記過熱蒸気を該アンモニア燃焼排ガスとの熱交換により昇温することを特徴とする発電装置。
【請求項２】
過熱器から排ガスを大気に放出する排ガス放出部に向け排ガス流路が設けられていて、該排ガス流路には過熱器と排ガス放出部との間に脱硝装置が設けられ、熱交換器から排出されるアンモニア燃焼排ガスの一部が、上記脱硝装置の入口に供給されるようになっていることとする請求項１に記載の発電装置。
【請求項３】
燃焼装置にはＮＯｘを還元する還元剤を燃焼装置内に供給する還元剤供給機構が設けられ、熱交換器から排出されるアンモニア燃焼排ガスの一部が、燃焼装置の還元剤が供給される位置より上流側に供給されるようになっていることとする請求項１に記載の発電装置。
【請求項４】
過熱器から排ガスを大気に放出する排ガス放出部に向け排ガス流路が設けられていて、該排ガス流路には過熱器と排ガス放出部との間に脱硝装置が設けられ、燃焼装置にはＮＯｘを還元する還元剤を燃焼装置内に供給する還元剤供給機構が設けられ、熱交換器から排出されるアンモニア燃焼排ガスの一部が、上記脱硝装置の入口と燃焼装置の還元剤が供給される位置より上流側に供給されるようになっていることとする請求項１に記載の発電装置。
【請求項５】
可燃物を含有する廃棄物を燃焼する焼却炉と、焼却炉で発生する排ガスの熱により蒸気を生成する蒸発器と、蒸発器からの蒸気を過熱する過熱器と、過熱器からの過熱蒸気により駆動される蒸気タービンと、該蒸気タービンに連結されて発電する発電機とを有する発電装置において、
過熱器と蒸気タービンとが熱交換器を介して接続され、該熱交換器にはアンモニア燃焼装置が接続されていて、該アンモニア燃焼装置でアンモニアを燃焼して生ずるアンモニア燃焼排ガスが上記熱交換器に導かれて、上記過熱蒸気を該アンモニア燃焼排ガスとの熱交換により昇温することを特徴とする発電装置。
【請求項６】
過熱器から排ガスを大気に放出する煙突に向け排ガス流路が設けられていて、該排ガス流路には過熱器と煙突との間にエコノマイザ、集塵機そして脱硝装置が順次設けられ、熱交換器から排出されるアンモニア燃焼排ガスの一部が、上記焼却炉、上記過熱器の入口、上記エコノマイザの入口そして上記脱硝装置の入口の少なくとも一箇所に供給されるようになっていることとする請求項５に記載の発電装置。
【請求項７】
過熱器から排ガスを大気に放出する煙突に向け排ガス流路が設けられていて、該排ガス流路には過熱器と煙突との間にエコノマイザと集塵機が順次設けられ、焼却炉にはＮＯｘを還元する還元剤を焼却炉内に供給する還元剤供給機構が備えられ、熱交換器から排出されるアンモニア燃焼排ガスの一部が、上記焼却炉の還元剤が供給される位置より上流側、上記過熱器の入口そして上記エコノマイザの入口の少なくとも一箇所に供給されるようになっていることとする請求項５に記載の発電装置。
【請求項８】
過熱器から排ガスを大気に放出する煙突に向け排ガス流路が設けられていて、該排ガス流路には過熱器と煙突との間にエコノマイザ、集塵機そして脱硝装置が順次設けられ、焼却炉にはＮＯｘを還元する還元剤を焼却炉内に供給する還元剤供給機構が備えられ、熱交換器から排出されるアンモニア燃焼排ガスの一部が、上記焼却炉の還元剤が供給される位置より上流側、上記過熱器の入口、上記エコノマイザの入口そして上記脱硝装置の入口の少なくとも一箇所に供給されるようになっていることとする請求項５に記載の発電装置。
【請求項９】
可燃物を燃焼装置で燃焼し、燃焼装置で発生する排ガスの熱により蒸発器で蒸気を生成し、過熱器で蒸発器からの蒸気を過熱し、過熱器からの過熱蒸気により蒸気タービンを駆動し、該蒸気タービンに連結されている発電機で発電する発電方法において、
過熱器と蒸気タービンとを接続している熱交換器へ、アンモニア燃焼装置でアンモニアを燃焼して生ずるアンモニア燃焼排ガスを導いて、上記過熱蒸気を該アンモニア燃焼排ガスとの熱交換により昇温することを特徴とする発電方法。
【請求項１０】
過熱器から排ガスを大気に放出する排ガス放出部に向け排ガス流路を設けて、該排ガス流路の過熱器と排ガス放出部との間で脱硝装置を設け、熱交換器から排出されるアンモニア燃焼排ガスの一部を上記脱硝装置の入口に供給することとする請求項９に記載の発電方法。
【請求項１１】
燃焼装置にＮＯｘを還元する還元剤を燃焼装置内に供給する還元剤供給機構を設け、熱交換器から排出されるアンモニア燃焼排ガスの一部を、燃焼装置の還元剤が供給される位置より上流側に供給することとする請求項９に記載の発電方法。
【請求項１２】
過熱器から排ガスを大気に放出する排ガス放出部に向け排ガス流路を設けて、該排ガス流路の過熱器と排ガス放出部との間で脱硝装置を設け、燃焼装置にＮＯｘを還元する還元剤を燃焼装置内に供給する還元剤供給機構を設け、熱交換器から排出されるアンモニア燃焼排ガスの一部を、上記脱硝装置の入口と燃焼装置の還元剤が供給される位置より上流側に供給することとする請求項９に記載の発電方法。
【請求項１３】
可燃物を含有する廃棄物を焼却炉で燃焼し、焼却炉で発生する排ガスの熱により蒸発器で蒸気を生成し、過熱器で蒸発器からの蒸気を過熱し、過熱器からの過熱蒸気により蒸気タービンを駆動し、該蒸気タービンに連結されている発電機で発電する発電方法において、
過熱器と蒸気タービンとを接続している熱交換器へ、アンモニア燃焼装置でアンモニアを燃焼して生ずるアンモニア燃焼排ガスを導いて、上記過熱蒸気を該アンモニア燃焼排ガスとの熱交換により昇温することを特徴とする発電方法。
【請求項１４】
過熱器から排ガスを大気に放出する煙突に向け排ガス流路を設けて、該排ガス流路に過熱器と煙突との間でエコノマイザ、集塵機そして脱硝装置を順次設け、熱交換器から排出されるアンモニア燃焼排ガスの一部を、上記焼却炉、上記過熱器の入口、上記エコノマイザの入口そして上記脱硝装置の入口の少なくとも一箇所に供給することとする請求項１３に記載の発電方法。
【請求項１５】
過熱器から排ガスを大気に放出する煙突に向け排ガス流路を設けて、該排ガス流路に過熱器と煙突との間でエコノマイザと集塵機を順次設け、焼却炉にＮＯｘを還元する還元剤を焼却炉内に供給する還元剤供給機構を設け、熱交換器から排出されるアンモニア燃焼排ガスの一部を、上記焼却炉の還元剤が供給される位置より上流側、上記過熱器の入口そして上記エコノマイザの入口の少なくとも一箇所に供給することとする請求項１３に記載の発電方法。
【請求項１６】
過熱器から排ガスを大気に放出する煙突に向け排ガス流路を設けて、該排ガス流路に過熱器と煙突との間でエコノマイザ、集塵機そして脱硝装置を順次設け、焼却炉にＮＯｘを還元する還元剤を焼却炉内に供給する還元剤供給機構を設け、熱交換器から排出されるアンモニア燃焼排ガスの一部を、上記焼却炉の還元剤が供給される位置より上流側、上記過熱器の入口、上記エコノマイザの入口そして上記脱硝装置の入口の少なくとも一箇所に供給することとする請求項１３に記載の発電方法。
【発明の詳細な説明】
【技術分野】
【０００１】
本発明は、蒸気タービンにより発電するに際し、蒸気タービンに供給する蒸気温度を昇温させて発電能力を増加させる発電装置及び発電方法に関する。
【背景技術】
【０００２】
可燃物を燃焼してその熱で蒸気を生成し、その蒸気で蒸気タービンを駆動し、該蒸気タービンに連結されている発電機で発電することは、古くから行われており、その際、発電能力を増加させるリパワリング技術が広く検討されている。
【０００３】
特許文献１では、廃棄物を焼却炉で燃焼し、その廃棄物に含有される可燃物の燃焼により生ずる熱（廃熱）を利用して蒸気を発生させるボイラと、ボイラにより発生した蒸気により作動する蒸気タービンと、蒸気タービンにより駆動される発電機とを備えている廃棄物焼却発電プラントを開示している。このような廃棄物焼却発電プラントにおいて、蒸気タービンに供給されるときの蒸気温度を高くして発電プラントの高効率化を行い、発電能力を増加させるリパワリング技術が求められており、特許文献１では、その従来技術として開示されている装置は、都市ガス等の化石燃料を用いたガスタービンの排ガスで上記蒸気温度を高める加熱器を備えている。かかる装置によれば、蒸気温度は加熱器で温度が高められ、蒸気タービンでの発電効率を向上させることができる。
【先行技術文献】
【特許文献】
【０００４】
【特許文献１】特開２００２−３３９７０９
【発明の概要】
【発明が解決しようとする課題】
【０００５】
しかしながら、特許文献１に開示されている加熱器を用いれば、蒸気タービンに供給される蒸気の温度を上記加熱器で上昇させ発電量向上を実現できるが、上記加熱器での蒸気の加熱のためにガスタービンを用いると、該ガスタービンの駆動のための熱源として都市ガス等の化石燃料を用いるので、ＣＯ２を排出するという問題を有している。
【０００６】
かかる事情に鑑み、本発明では、ＣＯ２を排出せずに、蒸気タービンに供給される蒸気の温度を上昇させることができ発電効率を向上させることができる発電装置及び発電方法を提供することを課題とする。
【課題を解決するための手段】
【０００７】
本発明は、発電装置に関しては次の第一ないし第八発明のごとく構成され、発電方法に関しては次の第九ないし第十六発明のごとく構成される。
【０００８】
[発電装置]
＜第一発明＞
可燃物を燃焼する燃焼装置と、燃焼装置で発生する排ガスの熱により蒸気を生成する蒸発器と、蒸発器からの蒸気を過熱する過熱器と、過熱器からの過熱蒸気により駆動される蒸気タービンと、該蒸気タービンに連結されて発電する発電機とを有する発電装置において、
過熱器と蒸気タービンとが熱交換器を介して接続され、該熱交換器にはアンモニア燃焼装置が接続されていて、該アンモニア燃焼装置でアンモニアを燃焼して生ずるアンモニア燃焼排ガスが上記熱交換器に導かれて、上記過熱蒸気を該アンモニア燃焼排ガスとの熱交換により昇温することを特徴とする発電装置。
【０００９】
＜第二発明＞
第一発明において、過熱器から排ガスを大気に放出する排ガス放出部に向け排ガス流路が設けられていて、該排ガス流路には過熱器と排ガス放出部との間に脱硝装置が設けられ、熱交換器から排出されるアンモニア燃焼排ガスの一部が、上記脱硝装置の入口に供給されるようになっていることとする発電装置。
【００１０】
＜第三発明＞
第一発明において、燃焼装置にはＮＯｘを還元する還元剤を燃焼装置内に供給する還元剤供給機構が設けられ、熱交換器から排出されるアンモニア燃焼排ガスの一部が、燃焼装置の還元剤が供給される位置より上流側に供給されるようになっていることとする発電装置。  
【００１１】
＜第四発明＞
第一発明において、過熱器から排ガスを大気に放出する排ガス放出部に向け排ガス流路が設けられていて、該排ガス流路には過熱器と排ガス放出部との間に脱硝装置が設けられ、燃焼装置にはＮＯｘを還元する還元剤を燃焼装置内に供給する還元剤供給機構が設けられ、熱交換器から排出されるアンモニア燃焼排ガスの一部が、上記脱硝装置の入口と燃焼装置の還元剤が供給される位置より上流側に供給されるようになっていることとする発電装置。
【００１２】
＜第五発明＞
可燃物を含有する廃棄物を燃焼する焼却炉と、焼却炉で発生する排ガスの熱により蒸気を生成する蒸発器と、蒸発器からの蒸気を過熱する過熱器と、過熱器からの過熱蒸気により駆動される蒸気タービンと、該蒸気タービンに連結されて発電する発電機とを有する発電装置において、
過熱器と蒸気タービンとが熱交換器を介して接続され、該熱交換器にはアンモニア燃焼装置が接続されていて、該アンモニア燃焼装置でアンモニアを燃焼して生ずるアンモニア燃焼排ガスが上記熱交換器に導かれて、上記過熱蒸気を該アンモニア燃焼排ガスとの熱交換により昇温することを特徴とする発電装置。
【００１３】
＜第六発明＞
第五発明において、過熱器から排ガスを大気に放出する煙突に向け排ガス流路が設けられていて、該排ガス流路には過熱器と煙突との間にエコノマイザ、集塵機そして脱硝装置が順次設けられ、熱交換器から排出されるアンモニア燃焼排ガスの一部が、上記焼却炉、上記過熱器の入口、上記エコノマイザの入口そして上記脱硝装置の入口の少なくとも一箇所に供給されるようになっていることとする発電装置。
【００１４】
＜第七発明＞
第五発明において、過熱器から排ガスを大気に放出する煙突に向け排ガス流路が設けられていて、該排ガス流路には過熱器と煙突との間にエコノマイザと集塵機が順次設けられ、焼却炉にはＮＯｘを還元する還元剤を焼却炉内に供給する還元剤供給機構が備えられ、熱交換器から排出されるアンモニア燃焼排ガスの一部が、上記焼却炉の還元剤が供給される位置より上流側、上記過熱器の入口そして上記エコノマイザの入口の少なくとも一箇所に供給されるようになっていることとする発電装置。
【００１５】
＜第八発明＞
第五発明において、過熱器から排ガスを大気に放出する煙突に向け排ガス流路が設けられていて、該排ガス流路には過熱器と煙突との間にエコノマイザ、集塵機そして脱硝装置が順次設けられ、焼却炉にはＮＯｘを還元する還元剤を焼却炉内に供給する還元剤供給機構が備えられ、熱交換器から排出されるアンモニア燃焼排ガスの一部が、上記焼却炉の還元剤が供給される位置より上流側、上記過熱器の入口、上記エコノマイザの入口そして上記脱硝装置の入口の少なくとも一箇所に供給されるようになっていることとする発電装置。
【００１６】
[発電方法]
＜第九発明＞
可燃物を燃焼装置で燃焼し、燃焼装置で発生する排ガスの熱により蒸発器で蒸気を生成し、過熱器で蒸発器からの蒸気を過熱し、過熱器からの過熱蒸気により蒸気タービンを駆動し、該蒸気タービンに連結されている発電機で発電する発電方法において、
過熱器と蒸気タービンとを接続している熱交換器へ、アンモニア燃焼装置でアンモニアを燃焼して生ずるアンモニア燃焼排ガスを導いて、上記過熱蒸気を該アンモニア燃焼排ガスとの熱交換により昇温することを特徴とする発電方法。
【００１７】
＜第十発明＞
第九発明において、過熱器から排ガスを大気に放出する排ガス放出部に向け排ガス流路を設けて、該排ガス流路の過熱器と排ガス放出部との間で脱硝装置を設け、熱交換器から排出されるアンモニア燃焼排ガスの一部を上記脱硝装置の入口に供給することとする発電方法。
【００１８】
＜第十一発明＞
第九発明において、燃焼装置にＮＯｘを還元する還元剤を燃焼装置内に供給する還元剤供給機構を設け、熱交換器から排出されるアンモニア燃焼排ガスの一部を、燃焼装置の還元剤が供給される位置より上流側に供給することとする発電方法。
【００１９】
＜第十二発明＞
第九発明において、過熱器から排ガスを大気に放出する排ガス放出部に向け排ガス流路を設けて、該排ガス流路の過熱器と排ガス放出部との間で脱硝装置を設け、燃焼装置にＮＯｘを還元する還元剤を燃焼装置内に供給する還元剤供給機構を設け、熱交換器から排出されるアンモニア燃焼排ガスの一部を、上記脱硝装置の入口と燃焼装置の還元剤が供給される位置より上流側に供給することとする発電方法。
【００２０】
＜第十三発明＞
可燃物を含有する廃棄物を焼却炉で燃焼し、焼却炉で発生する排ガスの熱により蒸発器で蒸気を生成し、過熱器で蒸発器からの蒸気を過熱し、過熱器からの過熱蒸気により蒸気タービンを駆動し、該蒸気タービンに連結されている発電機で発電する発電方法において、
過熱器と蒸気タービンとを接続している熱交換器へ、アンモニア燃焼装置でアンモニアを燃焼して生ずるアンモニア燃焼排ガスを導いて、上記過熱蒸気を該アンモニア燃焼排ガスとの熱交換により昇温することを特徴とする発電方法。
【００２１】
＜第十四発明＞
第十三発明において、過熱器から排ガスを大気に放出する煙突に向け排ガス流路を設けて、該排ガス流路に過熱器と煙突との間でエコノマイザ、集塵機そして脱硝装置を順次設け、熱交換器から排出されるアンモニア燃焼排ガスの一部を上記焼却炉、上記過熱器の入口、上記エコノマイザの入口そして上記脱硝装置の入口の少なくとも一箇所に供給することとする発電方法。
【００２２】
＜第十五発明＞
第十三発明において、過熱器から排ガスを大気に放出する煙突に向け排ガス流路を設けて、該排ガス流路に過熱器と煙突との間でエコノマイザと集塵機を順次設け、焼却炉にＮＯｘを還元する還元剤を焼却炉内に供給する還元剤供給機構を設け、熱交換器から排出されるアンモニア燃焼排ガスの一部を、上記焼却炉の還元剤が供給される位置より上流側、上記過熱器の入口そして上記エコノマイザの入口の少なくとも一箇所に供給することとすることとする発電方法。
【００２３】
＜第十六発明＞
第十三発明において、過熱器から排ガスを大気に放出する煙突に向け排ガス流路を設けて、該排ガス流路に過熱器と煙突との間でエコノマイザ、集塵機そして脱硝装置を順次設け、焼却炉にＮＯｘを還元する還元剤を焼却炉内に供給する還元剤供給機構を設け、熱交換器から排出されるアンモニア燃焼排ガスの一部を、上記焼却炉の還元剤が供給される位置より上流側、上記過熱器の入口、上記エコノマイザの入口そして上記脱硝装置の入口の少なくとも一箇所に供給することとする発電方法。
【００２４】
[第一ないし第十六発明の作用効果]
以上のごとくの構成の第一ないし第十六発明における作用効果は次のごとくである。
【００２５】
＜第一発明、第九発明＞
第一発明、第九発明では、アンモニア燃焼装置でアンモニアを燃焼して、そのアンモニア燃焼排ガスを熱交換器へ導き、高温のこのアンモニア燃焼排ガスで、蒸気タービンに供給される過熱蒸気を昇温し、昇温した過熱蒸気により蒸気タービンを駆動する。その際、アンモニアは燃焼してもＣＯ２を発生しないので、ＣＯ２排出なしに過熱蒸気を昇温して、蒸気タービンによる発電能力を向上させることとなる。
【００２６】
＜第二発明、第十発明＞
第二発明、第十発明では、熱交換器での過熱蒸気との熱交換後のアンモニア燃焼排ガスの一部を排ガス流路の脱硝装置の入口に供給する。これによりアンモニア燃焼排ガスに含まれるＮＯｘが除去される。また、アンモニア燃焼排ガス中に残存アンモニアがある場合には、燃焼装置で可燃物が燃焼する際に発生したＮＯｘに対しこの残存アンモニアが脱硝反応の還元剤として作用してＮＯｘが分解処理される。そのため、脱硝装置の入口に外部から還元剤のアンモニア等を供給することが不要になるか、又は外部から供給する還元剤のアンモニア量を低減することができる。脱硝装置としては、触媒の存在下でアンモニア等の還元剤によりＮＯｘを還元して分解する脱硝触媒装置を用いることが好ましいが、他の方式の脱硝装置を用いてもよい。
【００２７】
脱硝装置に送入される処理対象としての燃焼装置からの排ガスは、送入前に集塵機での除塵に適した温度とするために降温されているので、従来、脱硝装置へ送入される前に脱硝反応に適した温度とするため再加熱される場合があったが、本発明では、アンモニア燃焼排ガスは上記熱交換後も熱量を有していてこの熱量を利用できるので、かかる再加熱は不要となるか又は再加熱装置による再加熱を軽減することができる。
【００２８】
＜第三発明、第十一発明＞
第三発明、第十一発明では、燃焼装置にはＮＯｘを還元する還元剤を燃焼装置内に供給する還元剤供給機構が備えられ、熱交換器から排出されるアンモニア燃焼排ガスの一部が、燃焼装置の還元剤が供給される位置より上流側に供給されるようになっていることとしており、アンモニア燃焼排ガスは、還元剤供給機構が備えられた燃焼装置に供給されて、アンモニア燃焼排ガスに含まれるＮＯｘが還元剤により還元される。また、アンモニア燃焼排ガス中に残存アンモニアがある場合には、燃焼装置で可燃物が燃焼する際に発生したＮＯｘに対しこの残存アンモニアが脱硝反応の還元剤として作用してＮＯｘが分解処理される。そのため、燃焼装置で発生したＮＯｘを処理するための脱硝装置が不要になるか、脱硝装置を設ける場合でも脱硝装置の入口に外部から供給する還元剤のアンモニア量を低減することができる。
【００２９】
＜第四発明、第十二発明＞
第四発明、第十二発明では、燃焼装置にはＮＯｘを還元する還元剤を燃焼装置内に供給する還元剤供給機構が備えられ、熱交換器から排出されるアンモニア燃焼排ガスの一部が、燃焼装置の還元剤が供給される位置より上流側と、排ガス流路の脱硝装置の入口に供給されるようになっていることとしており、アンモニア燃焼排ガスは還元剤供給機構が備えられた燃焼装置に供給されて、アンモニア燃焼排ガスに含まれるＮＯｘが還元剤により還元される。また、アンモニア燃焼排ガスは脱硝装置の入口に供給されて、アンモニア燃焼排ガスに含まれるＮＯｘが除去される。また、アンモニア燃焼排ガス中に残存アンモニアがある場合には、燃焼装置で可燃物が燃焼する際に発生したＮＯｘに対し、燃焼装置内と脱硝装置でこの残存アンモニアが脱硝反応の還元剤として作用してＮＯｘが分解処理される。そのため、脱硝装置の入口に外部から還元剤のアンモニアを供給することが不要になるか、又は外部から供給する還元剤のアンモニア量を低減することができる。
【００３０】
＜第五発明、第十三発明＞
第五発明、第十三発明は、第一発明、第九発明における燃焼装置を、可燃物を含有している廃棄物を処理する廃棄物焼却炉としているので、この廃棄物を燃焼して得られる熱で蒸気を発生させこれを過熱蒸気としてから、第一発明、第九発明の場合と同様に、この過熱蒸気をアンモニア燃焼排ガスにより昇温した後、この過熱蒸気で蒸気タービンを駆動し、発電機で発電する。その際、アンモニアは燃焼してもＣＯ２を発生しないので、ＣＯ２排出なしに過熱蒸気を昇温して、蒸気タービンによる発電能力を向上させることとなる。
【００３１】
＜第六発明、第十四発明＞
第六発明、第十四発明では、熱交換器での過熱蒸気との熱交換後のアンモニア燃焼排ガスの一部を、焼却炉、過熱器の入口、エコノマイザの入口、脱硝装置の入口の少なくとも一箇所に供給することとしており、該アンモニア燃焼排ガスは、焼却炉、過熱器、エコノマイザ、脱硝装置で、次のように作用する。上記アンモニア燃焼排ガスは、焼却炉に対しては、焼却炉の燃焼室、ガス混合室、二次燃焼室の少なくともいずれかに対し選択的に供給されることができる。
【００３２】
（Ａ）焼却炉
（ｉ）焼却炉の燃焼室：
燃焼室に供給されたアンモニア燃焼排ガスは、燃焼室で火炎温度が過剰に高温になるのを抑制し、燃焼室で発生した可燃性の未燃ガスと燃焼用空気とを十分に攪拌混合するので、燃焼が促進されかつ燃焼が安定化する。そのため、ＣＯの発生を低減し、局所的高温場の発生抑制によりサーマルＮＯｘの発生を低減する。さらには、アンモニア燃焼排ガス中の残存アンモニアが、燃焼室で発生したＮＯｘを還元して脱硝し、ＮＯｘの排出を低減する。
【００３３】
（ii）焼却炉のガス混合室：
ガス混合室に供給されたアンモニア燃焼排ガスが、燃焼室から流入する可燃性の未燃ガスとガス混合室で受ける二次燃焼空気との攪拌混合を促進して、ガス混合室の下流に位置する二次燃焼室での未燃ガスの二次燃焼を促進させかつ安定化させるので、ＣＯの排出を低減、局所的高温場の発生抑制により、サーマルＮＯｘの発生を低減させる。さらには、アンモニア燃焼排ガス中の残存アンモニアがＮＯｘを還元して脱硝し、ＮＯｘ排出を低減する。
【００３４】
（iii）焼却炉の二次燃焼室：
二次燃焼室に供給されたアンモニア燃焼排ガスが、ガス混合室から流入する可燃性の未燃ガスと二次燃焼空気との攪拌混合を促進して、未燃ガスの二次燃焼を促進させかつ安定化させるので、ＣＯの排出を低減、局所的高温場の発生抑制により、サーマルＮＯｘの発生を低減させる。さらには、アンモニア燃焼排ガス中の残存アンモニアがＮＯｘを還元して脱硝し、ＮＯｘ排出を低減する。アンモニア燃焼排ガスを二次燃焼室へ供給する位置を、燃焼室からの焼却炉排ガスを８５０℃以上の温度雰囲気で２秒以上の時間滞留させることができるような位置とすることが好ましい。これにより、ダイオキシン類を分解してダイオキシン類の排出を防止する。
【００３５】
（Ｂ）過熱器（ボイラ）：
アンモニア燃焼排ガスで焼却炉排ガスを希釈することとなるので、排ガス温度がボイラ伝熱管の腐食を発生させる温度以上になるのを抑制し、腐食性ガス（ＨＣｌ）濃度を低下して、ボイラの腐食抑制が可能となる。
【００３６】
（Ｃ）エコノマイザ：
アンモニア燃焼排ガスの保有熱も用いてボイラ水を加熱するので、過熱蒸気の保有エネルギーを増大させることができる。
【００３７】
（Ｄ）脱硝装置：
アンモニア燃焼排ガスに含まれるＮＯｘを脱硝反応により分解処理できる。また、アンモニア燃焼排ガス中の残存アンモニアがＮＯｘを還元するので、ＮＯｘの還元のために脱硝装置の入口に外部から還元剤のアンモニアを供給することが不要になるか、又は外部から供給する還元剤のアンモニア量を低減することができる。さらには、アンモニア燃焼排ガスの保有熱を利用でき、焼却炉排ガスの脱硝のために必要な場合がある焼却炉排ガスの再加熱が不要となるか、又は再加熱を軽減できる。
【００３８】
＜第七発明、第十五発明＞
第七発明、第十五発明では、焼却炉にはＮＯｘを還元する還元剤を焼却炉内に供給する還元剤供給機構が備えられ、熱交換器から排出されるアンモニア燃焼排ガスの一部が焼却炉の還元剤が供給される位置より上流側、過熱器の入口そしてエコノマイザの入口の少なくとも一箇所に供給されるようになっていることとしており、アンモニア燃焼排ガスは、還元剤供給機構が備えられた焼却炉に供給されて、アンモニア燃焼排ガスに含まれるＮＯｘが還元剤により還元され、また、アンモニア燃焼排ガスは、焼却炉、過熱器、エコノマイザで、第六発明、第十四発明と同様に作用する。
【００３９】
＜第八発明、第十六発明＞
第八発明、第十六発明では、焼却炉にはＮＯｘを還元する還元剤を焼却炉内に供給する還元剤供給機構が備えられ、熱交換器から排出されるアンモニア燃焼排ガスの一部が焼却炉の還元剤が供給される位置より上流側、過熱器の入口、エコノマイザの入口そして上記脱硝装置の少なくとも一箇所に供給されるようになっていることとしており、アンモニア燃焼排ガスは、還元剤供給機構が備えられた焼却炉に供給されて、アンモニア燃焼排ガスに含まれるＮＯｘが還元剤により還元され、また、アンモニア燃焼排ガスは、焼却炉、過熱器、エコノマイザ、脱硝装置で、第六発明、第十四発明と同様に作用する。
【発明の効果】
【００４０】
以上のように本発明では、その第一、第九発明によると、燃焼装置で可燃物を燃焼することで蒸気を得て、これを過熱蒸気として蒸気タービンを駆動して発電機で発電する際、過熱蒸気を熱交換器で、アンモニア燃焼装置からのアンモニア燃焼排ガスとの熱交換で昇温することとしたので、蒸気タービンによる発電機における発電能力を増大させることができ、しかも、アンモニアは燃焼に際してＣＯ２を排出しないので、過熱蒸気の昇温の目的のためにＣＯ２の排出が生じるという事態はなくなる。また、第五、第十三発明によれば、燃焼装置を、可燃物を含有する廃棄物を燃焼する焼却炉として実施でき、廃棄物焼却による発電における発電能力を増大させることができる。
【００４１】
また、第一、第九発明において、アンモニア燃焼排ガスの一部を脱硝装置の入口に供給することとする、第二、第十発明のごとく構成すれば、アンモニア燃焼排ガス中に残存するアンモニアがＮＯｘを還元しＮＯｘ排出を低減でき、そのため、脱硝装置の入口に外部から還元剤のアンモニアを供給することが不要になるか、又は外部から供給する還元剤のアンモニア量を低減することができる。さらに、アンモニア燃焼排ガスが保有熱を有しているので、脱硝に際してＮＯｘ処理対象の排ガスの再加熱が不要となるか、又は再加熱を軽減できる。
【００４２】
さらに、アンモニア燃焼排ガスの一部を、焼却炉、過熱器の入口、エコノマイザの入口そして脱硝装置の入口の少なくとも一箇所に供給することとする第六、第十四発明のごとく構成すれば、脱硝装置では上述のＮＯｘの還元そして排ガスの再加熱の不要化又は軽減化という効果を得るのに加え、焼却炉では、燃焼の安定化、ＣＯ発生低減化、ＮＯｘの排出低減化、過熱器では、焼却炉排ガスの希釈化によるボイラの腐蝕抑制、エコノマイザでは、アンモニア燃焼排ガスの保有熱を利用したボイラでの収熱量の増大という効果を得る。
【図面の簡単な説明】
【００４３】
【図１】本発明の一実施形態装置の概要構成図である。
【図２】図１における焼却炉についての縦断面による構成図である。
【発明を実施するための形態】
【００４４】
図１において、符号１は、可燃物を含有する廃棄物を燃焼する焼却炉であり、該焼却炉１には、蒸発器２、過熱器３を有するボイラが接続され、過熱器３から焼却炉排ガスの処理後の排ガスを大気に放出する煙突９に向け排ガス流路１０が設けられている。焼却炉排ガスを流通させる該排ガス流路１０には、過熱器３から煙突９へ向けた排ガスの流通方向となる下流方向に向け、過熱器３と煙突９の間に、エコノマイザ４、減温塔５、集塵機６、脱硝装置７そしてブロワ８の諸装置が順に配設されている。
【００４５】
上記蒸発器２は、上記エコノマイザ４と加温水供給路１１で接続されており、該加温水供給路１１を経て、エコノマイザ４から加温水を受けるとともに、上記焼却炉１から高温状態の排ガスを受けて、該排ガスの熱で上記加温水を加熱して蒸気を生成するようになっている。上記蒸発器２は、該蒸発器２の下流側に位置する該過熱器３と接続されていて蒸発器２で生成された蒸気を該過熱器３へ送るようになっている。該過熱器３は、焼却炉排ガスの保有熱により蒸発器２からの蒸気を昇温させ過熱蒸気として、後述の蒸気タービンに供給する。
【００４６】
過熱器３には、その下流側に配設されたエコノマイザ４が接続されている。エコノマイザ４では、後述の蒸気タービンの駆動に供した蒸気が復水器で復水された復水を受けてこれを、上記過熱器３で蒸気を過熱した後の焼却炉排ガスになお残存する保有熱で加熱し、加温水として上記加温水供給路１１を経て蒸発器２へ供給する。
【００４７】
上記エコノマイザ４には、その下流側に配設された集塵機６が減温塔５を介して接続されている。該減温塔５は集塵機６での排ガスの除塵に適した温度まで、排ガスの温度を降下させる。減温塔５を省略する構成としてもよい。
【００４８】
上記集塵機６には、その下流側に配設された脱硝装置７が接続されている。該脱硝装置７は、集塵機６で除塵された焼却炉排ガス中のＮＯｘを還元剤として供給されるアンモニアを用いて触媒脱硝反応により無害な窒素と水蒸気に分解し無害化処理排ガスとする。該脱硝装置７には、ブロワ８が配されていて、上記無害化処理排ガスを該ブロワ８により煙突９に送り、該煙突９から大気に放出する。
【００４９】
本実施形態では、さらに、過熱器３からの過熱蒸気を受けて駆動される蒸気タービン１２そして該蒸気タービン１２に連結されている発電機１３と、さらには、アンモニアを燃焼するアンモニア燃焼装置１４と、そして、該アンモニア燃焼装置１４からのアンモニア燃焼排ガスで上記過熱蒸気と熱交換して該過熱蒸気をさらに昇温する熱交換器１５とを備えている。
【００５０】
上記熱交換器１５は、上述のように、上記過熱器３から過熱蒸気を受けるとともに、アンモニア燃焼装置１４から高温のアンモニア燃焼排ガスを受けて、該アンモニア燃焼排ガスと過熱蒸気とを熱交換させて該過熱蒸気をさらに昇温するようになっており、昇温した過熱蒸気が蒸気タービン１２に供給され、高効率のもとで該蒸気タービン１２を駆動し、それによって発電機１３で発電を行う。該蒸気タービン１２は復水器１６を介してエコノマイザ４に接続されており、該蒸気タービン１２の駆動に供した蒸気を上記復水器１６で復水し、これをエコノマイザ４に供給するようになっている。
【００５１】
本実施形態では、熱交換器１５で過熱蒸気の昇温に供した後のアンモニア燃焼排ガスの一部は、図１に見られるごとく、焼却炉１の各供給口の位置Ａ、過熱器３の入口の位置Ｂ、エコノマイザ４の入口の位置Ｃ、脱硝装置７の入口の位置Ｄの少なくともいずれか一箇所に供給される。このアンモニア燃焼排ガスの供給位置は、図１では、※印に付された符号Ａ〜Ｄで示されている。上記アンモニア燃焼排ガスは、熱交換器１５での過熱蒸気の昇温に供した後も、なお保有熱を有しており、またアンモニアが残存していることがあり（以下「残存するアンモニア」）、上記位置Ａ〜Ｄから供給されたアンモニア燃焼排ガスは、上記保有熱そして残存アンモニアにより各装置で後述のように作用し、各装置での機能を向上する。
【００５２】
次に、上記焼却炉１をその構成そしてアンモニア燃焼排ガスの供給位置について図２にもとづき説明する。
【００５３】
図２は、可燃物を含有する廃棄物を燃焼する焼却炉１の一例を示す概略縦断面図である。該焼却炉１の燃焼室２１の一端（図にて左端）上部には、廃棄物投入口２２が設けられ、該燃焼室２１の他端（図にて右端）上部には、蒸発器２と過熱器３としてのボイラ３０に接続するガス混合室２３が設けられ、燃焼室２１の他端下部には、焼却灰排出口２４が設けられている。そして、燃焼室２１内には、耐火材またはボイラ型水冷壁の構造からなる中間天井２５が、廃棄物投入口２２側から焼却灰排出口２４側に向けて下り勾配となるように設けられている。また、燃焼室２１の底部には、廃棄物投入口２２側から焼却灰排出口２４側に向けて、乾燥火格子２６ａ、燃焼火格子２６ｂ及び後燃焼火格子２６ｃが設けられている。そして、各火格子の下部からは、一次燃焼用空気が供給される。
【００５４】
乾燥火格子２６ａでは、廃棄物の乾燥と着火と一部燃焼が行われ、燃焼用空気量を抑えることにより後に二次燃焼時の熱源となるＣＯ、炭化水素類を多量に含む可燃性ガス（以下未燃ガスという）が発生される。また、燃焼火格子２６ｂでは、燃焼を開始した廃棄物に対して、燃焼用空気が十分に供給されて、廃棄物が完全燃焼され、酸素を多量に含む一次燃焼排ガス（以下燃焼ガスという）が発生する。さらに後燃焼火格子２６ｃで廃棄物の未燃分が燃焼され、焼却灰は焼却灰排出口２４より外部へ排出される。
【００５５】
中間天井２５によって形成される、燃焼室２１の天井２１ａと中間天井２５の前端部（図にて左端部）２５ａ間の隙間２７には、乾燥火格子２６ａ上の廃棄物からの未燃ガスの流れＰが、そして、焼却灰排出口２４側の側壁２４ａと中間天井２５の後端部（図にて右端部）２５ｂとの間の隙間２８には、燃焼火格子２６ｂ上の廃棄物からの燃焼ガスの流れＱがそれぞれ形成される。
【００５６】
未燃ガスの流れＰと燃焼ガスの流れＱは、それぞれ中間天井２５の前端部２５ａ側の隙間２７及び後端部２５ｂ側の隙間２８を通過して、ボイラ３０の入口に位置するガス混合室２３に流入する。未燃ガスの流れＰと燃焼ガスの流れＱは、ガス混合室２３に流れ込む際に、互いに対向しているので、ガス混合室２３内で衝突する。この結果、両方のガスが混合され、ガス混合室２３の下流側（ガス混合室２３の上方）に位置する二次燃焼室２９で二次燃焼空気が供給され未燃ガスが二次燃焼され、ガス混合室２３内及び二次燃焼室２９内が高温に保持されることにより、焼却炉排ガス中のダイオキシン類が熱分解され、ダイオキシン類の発生が抑制される。 
【００５７】
ボイラ３０は、第一放射室３１と、第二放射室３２と、接触伝熱室３３とを有しており、第一放射室３１はその排ガス流れの上流部が二次燃焼室２９となっており、第一放射室３１と第二放射室３２とが互いの上部で連通しており、該第二放射室３２の下部と接触伝熱室３３の下部が連通している。
【００５８】
上記ボイラ３０は、その構造物の内面は耐火物で形成された内壁となっており、第一放射室３１と第二放射室３２は内壁をなす上記耐火物の内壁内に、蒸気を流通する配管が密に配列された状態で埋設されている。一方、接触伝熱室３３には、その内部空間に接触伝熱管（図示せず）が配設されている。
【００５９】
上記ボイラ３０は、第一放射室３１と第二放射室３２と接触伝熱室３３の一部で図１に示された蒸発器２を形成し、接触伝熱室３３の一部で図１に示された過熱器３を形成している。
【００６０】
上記第一放射室３１及びに第二放射室３２は、排ガスからの放射熱を受けて蒸気を発生させる放射伝熱面をそれぞれ有している。
【００６１】
上記接触伝熱室３３に設けられた過熱器３は、図示されていないが、水平方向に配列した複数の伝熱管を高さ方向に多段に設けた伝熱管群を備えており、伝熱管が対流伝熱面を構成しており、排ガスとの熱交換により蒸気を発生しさらにこれを過熱して過熱蒸気とするようになっている。
【００６２】
ボイラ３０の下流側には、図１に示したエコノマイザ４が上記接触伝熱室３３の上部と接続されている。エコノマイザ４内には伝熱管（図示せず）が配設され、排ガスとの熱交換により水が加熱され加温水が生成され、ボイラ３０に供給される。上記エコノマイザ４はその排気部４ａが図１の減温塔５に接続されている。
【００６３】
次に、熱交換器１５で過熱蒸気を昇温するのに供されたアンモニア燃焼排ガスは、その一部が、焼却炉１に対しては、図２にて次の位置Ａ１〜Ａ３、過熱器３に対して位置Ｂそしてエコノマイザ４に対して位置Ｃへ供給されている。位置Ａ１は、燃焼室２１の炉側壁、天井、各火格子２６ａ〜２６ｃの下方、炉下流側端部壁であり、これらの位置の少なくとも一箇所からアンモニア燃焼排ガスが燃焼室２１へ供給される。アンモニア燃焼排ガスは炉側壁から燃焼室２１の中央に向け、天井から下方へ向け、火格子から上方へ向け、炉下流側端部壁から上流側へ向け供給される。位置Ａ２はガス混合室２３に位置しており、アンモニア燃焼排ガスは燃焼室２１から流入する未燃ガスの流れＰと燃焼ガスの流れＱとの混合を促進するように、また、未燃ガスとガス混合室２３で受ける二次燃焼空気との攪拌混合を促進するように供給される。さらに位置Ａ３は、二次燃焼室２９に位置しており、ガス混合室２３から流入する未燃ガスと二次燃焼空気との攪拌混合を促進するように供給される。アンモニア燃焼排ガスを二次燃焼室２９へ供給する位置を、燃焼室２１からの焼却炉排ガスを８５０℃以上の温度雰囲気で２秒以上の時間滞留させることができるような位置とすることが好ましい。これにより、ダイオキシン類を分解してダイオキシン類の排出を防止する。
【００６４】
次にボイラ３０の接触伝熱室３３、すなわち過熱器３には該過熱器３の入口（図２にて接触伝熱室３３の下部）となる位置Ｂにアンモニア燃焼排ガスが供給されている。
【００６５】
また、図２に見られるように、エコノマイザ４の入口（図２にてエコノマイザ４の上部）となる位置Ｃにアンモニア燃焼排ガスが供給される。
【００６６】
さらには、既述のように、図１に見られるように、脱硝装置７の入口となる位置Ｄにもアンモニア燃焼排ガスが供給される。
【００６７】
このように構成された本実施形態では、可燃物を含有する廃棄物が焼却炉１へ廃棄物投入口２２から投入されると、火格子（乾燥火格子２６ａ、燃焼火格子２６ｂ、後燃焼火格子２６ｃ）上で、各火格子２６ａ、２６ｂ、２６ｃの下方から燃焼用空気を受けて燃焼し、可燃物の燃焼により可燃性の未燃ガスと一次燃焼排ガスを発生する。残渣は焼却灰として焼却灰排出口２４から排出される。
【００６８】
上記燃焼室２１には、位置Ａ１、すなわち燃焼室２１の炉側壁、天井そして各火格子２６ａ〜２６ｃの下方からアンモニア燃焼排ガスの供給を受けており、燃焼室２１に供給されたこのアンモニア燃焼排ガスは、燃焼室２１で火炎温度が過剰に高温になるのを抑制し、燃焼室２１での可燃性の未燃ガスと燃焼用空気とを十分に攪拌混合するので、燃焼が促進されかつ安定化され、ＣＯ発生を低減し、局所的高温場の発生抑制によりサーマルＮＯｘの発生を低減する。さらには、アンモニア燃焼排ガス中の残存アンモニアが、燃焼室で発生したＮＯｘを還元して脱硝し、ＮＯｘ排出を低減する。
【００６９】
未燃ガスは中間天井２５の前端部２５ａをまわり込み隙間２７へ流れＰとなって流入し、一方、燃焼ガスは中間天井の後端部２５ｂをまわり込んで隙間２８へ流れＱとなって流入する。流れＰと流れＱは上記隙間２７、２８で対向していて、ガス混合室２３で衝突し混合される。このガス混合室２３にはアンモニア燃焼排ガスが位置Ａ２で供給されており、ガス混合室２３に供給されたアンモニア燃焼排ガスが、燃焼室２１からの未燃ガスと該ガス混合室２３で受ける二次燃焼空気との攪拌混合を促進して二次燃焼を促進しかつ安定化させるので、ＣＯの発生を低減、局所的高温場の発生抑制により、サーマルＮＯｘの発生を低減させる。さらには、アンモニア燃焼排ガス中の残存アンモニアがＮＯｘを還元して脱硝し、ＮＯｘ排出を低減する。
【００７０】
ガス混合室２３で混合された未燃ガスと二次燃焼空気とは、二次燃焼室２９で二次燃焼する。その際、二次燃焼室２９では既述した選定された位置Ａ３からアンモニア燃焼排ガスの供給を受けており、かかる位置Ａ３からアンモニア燃焼排ガスの供給を受ける結果、未燃ガスと二次燃焼空気との攪拌混合が促進されて、未燃ガスの二次燃焼が促進されかつ安定化されるので、ＣＯの排出を低減、局所的高温場の発生抑制により、サーマルＮＯｘの発生を低減させる。また、燃焼室２１からの焼却炉排ガスを二次燃焼室内で８５０℃以上の温度雰囲気で２秒以上の時間滞留させることができ、ダイオキシン類を分解してダイオキシン類の排出を防止する。さらには、アンモニア燃焼排ガス中の残存アンモニアがＮＯｘを還元して脱硝しＮＯｘ排出を低減する。
【００７１】
二次燃焼室２９での二次燃焼後の焼却炉排ガスは、ボイラ３０に導かれ、第一放射室３１と第二放射室３２の蒸発器２で蒸気を発生し、しかる後、接触伝熱室３３の過熱器３で上記蒸気を過熱蒸気とする。
【００７２】
上記過熱器３の入口の位置Ｂには、アンモニア燃焼排ガスが供給されており、アンモニア燃焼排ガスで焼却炉排ガスを希釈することとなるので、焼却炉排ガス温度がボイラ伝熱管の腐食を発生させる温度以上になるのを抑制し、腐食性ガス（ＨＣｌ）の濃度を低下して、ボイラの腐食抑制が可能となる。
【００７３】
過熱器３で蒸気を過熱蒸気とするように昇温させた後、焼却炉排ガスはエコノマイザ４に導かれる。該エコノマイザ４にも、その入口位置Ｃでアンモニア燃焼排ガスが供給されているので、該エコノマイザ４で焼却炉排ガスの保有熱により復水器１６からの復水を加熱して加温水とする際に、アンモニア燃焼排ガスの保有熱をも加温水の加熱に利用するので、加温水の温度がそれだけ高められボイラからの過熱蒸気の保有熱エネルギーを増大させる。
【００７４】
エコノマイザ４で復水を加温水とするのに供された焼却炉排ガスは、図１に見られるように、脱硝装置７に導かれ、ここで焼却炉排ガス中のＮＯｘが分解処理され、焼却炉排ガスは無害化処理排ガスとされる。上記脱硝装置７の入口位置Ｄには、アンモニア燃焼排ガスが供給されており、アンモニア燃焼排ガスの保有熱を利用して焼却炉排ガスを再加熱する。そのため、脱硝のために焼却炉排ガスを再加熱するために必要な場合があった再加熱装置が不要となるか、又は再加熱を軽減化することができる。さらには、アンモニア燃焼排ガス中の残存アンモニアがＮＯｘを還元するので、ＮＯｘの還元のために外部からアンモニアを供給することが不要となるか、又はアンモニアの供給量を低減することができる。
【００７５】
かかる本実施形態では、上述のようにアンモニア燃焼排ガスを熱交換器１５に導いて、過熱器３からの過熱蒸気をさらに昇温して蒸気タービン１２を駆動し、これにより発電機１３で発電する。
【００７６】
このように、焼却炉１にて廃棄物を燃焼することで蒸発器２にて蒸気を得て、これを過熱器３で過熱蒸気として蒸気タービン１２を駆動して発電機で発電する際、過熱蒸気を熱交換器１５で、アンモニア燃焼装置１４からのアンモニア燃焼排ガスとの熱交換で昇温することとしたので、蒸気タービン１２による発電機１３における発電能力を増大させることができ、しかも、アンモニアは燃焼に際してＣＯ２を排出しないので、過熱蒸気の昇温の目的のためにＣＯ２の排出が生じるという事態はなくなる。
【００７７】
本実施形態では、可燃物を燃焼する燃焼装置として廃棄物焼却炉を一例としたが、燃焼装置はこれに限らず、他の形式の装置、例えば、バイオマス燃焼炉、下水汚泥焼却炉、石炭火力発電装置、石油火力発電装置、天然ガス火力発電装置でもよく、可燃物もそれに対応した燃料とすることができる。
【符号の説明】
【００７８】
１  燃焼装置（焼却炉）
２  蒸発器
３  過熱器
４  エコノマイザ
５  減温塔
６  集塵機
７  脱硝装置
９  ガス放出部（煙突）
１０  排ガス流路
１２  蒸気タービン
１３  発電機
１４  アンモニア燃焼装置
１５  熱交換器
【図１】
2018173060.tif 000003
【図２】
2018173060.tif 000004